【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
印刷動作に対して使用可能な定着部と、
前記定着部に関する第１の定着ローラおよび第２の定着ローラであって、
印刷材料の複数のシートを処理方向に移動させ、
前記複数のシートからの第１のシートの後端を離し、それとほぼ同時に、
前記複数のシートからの第２のシートの先端と係合させるよう構成される第１の定着ローラおよび第２の定着ローラと、
制御システムであって、
前記第１の定着ローラおよび前記第２の定着ローラ付近の位置の前記第１のシートの前記後端を第１の時間で検知し、
前記第１の時間と所定の時間とを比較し、
前記第１の時間と前記所定の時間との間のばらつきに対して、前記第１の定着ローラおよび前記第２の定着ローラが前記複数のシートを移動させる速度を修正する、制御システムと、
を含む印刷装置。
【請求項２】
前記複数のシートを前記処理方向に一定速度で前記第１の定着ローラおよび前記第２の定着ローラに向けて移動させるよう構成される転写装置を含む感光部であって、
前記複数のシートからのシートが前記転写装置から離れるポイントと、前記シートが前記第１の定着ローラおよび前記第２の定着ローラと係合するポイントとは、前記処理方向に、任意の距離だけ離れ、
前記シートが前記処理方向において前記距離よりも長い全長を有する、感光部をさらに含む請求項１に記載の装置。
【請求項３】
前記複数のシートを前記処理方向に一定速度で前記第１の定着ローラおよび前記第２の定着ローラに向けて移動させるよう構成される転写装置を含む感光部をさらに含み、
前記転写装置と前記第１の定着ローラおよび前記第２の定着ローラとが、前記第１のシートに同時に係合するよう構成される、請求項１に記載の装置。
【請求項４】
前記複数のシートを一定速度で前記処理方向に前記第１の定着ローラおよび前記第２の定着ローラに向けて移動させるよう構成される感光部をさらに含み、
前記第１の定着ローラおよび前記第２の定着ローラは、前記第１の定着ローラおよび前記第２の定着ローラが前記複数のシートを前記処理方向に移動させる速度を変更するよう構成される、請求項１に記載の装置。
【請求項５】
前記感光部が、前記複数のシートを前記一定速度で前記処理方向に前記第１の定着ローラおよび前記第２の定着ローラに向けて移動させるよう構成される転写装置を含み、
前記第１の定着ローラおよび前記第２の定着ローラが、
前記第１のシートが前記転写装置と、前記第１の定着ローラおよび前記第２の定着ローラとに係合している間、前記第１のシートを前記一定速度で移動させ、
前記第１のシートが前記転写装置から離れた後、前記第１のシートを前記一定速度より遅い第１の速度で移動させるよう構成される、請求項４に記載の装置。
【請求項６】
前記第１の定着ローラおよび前記第２の定着ローラを回転させて前記第１のシートを前記処理方向に移動させるよう構成されるモータと、
制御システムであって、
前記モータが生成するトルクを計測し、
前記計測したトルクの値に従って、前記第１の定着ローラおよび前記第２の定着ローラが印刷材料の前記複数のシートを前記処理方向に移動させる速度を制御するよう構成される制御システムと、をさらに含む請求項１に記載の装置。
【請求項７】
感光部であって、
前記複数のシートを一定速度で前記処理方向に前記第１の定着ローラおよび前記第２の定着ローラに向けて移動させ、
所定の時間に前記第２のシートを前記第１の定着ローラおよび前記第２の定着ローラに搬送するよう構成される感光部をさらに含み、
前記制御システムが、前記所定の時間の前に、前記トルクを計測するよう設定され、
前記計測されたトルクの前記値が閾値より小さいとき、前記制御システムが、前記第１の定着ローラおよび前記第２の定着ローラが前記複数のシートを移動させる速度を下げるよう設定される、請求項６に記載の装置。
【請求項８】
感光部であって、
前記複数のシートを一定速度で前記処理方向に前記第１の定着ローラおよび前記第２の定着ローラに向けて移動させ、
所定の時間に前記第２のシートを前記第１の定着ローラおよび前記第２の定着ローラに搬送するよう構成される感光部をさらに含み、
前記制御システムが、前記所定の時間と前記所定の時間の後に、前記トルクを計測するよう設定され、
前記所定の時間に計測されたトルクの前記値が第１の閾値より大きく、前記所定の時間の後に測定されたトルクの前記値が第２の閾値より小さいとき、前記制御システムが、前記第１の定着ローラおよび前記第２の定着ローラが前記複数のシートの前記少なくとも一部を移動させる速度を上げるよう設定される、請求項６に記載の装置。
【請求項９】
前記位置は、前記複数のシートが前記第１の定着ローラおよび前記第２の定着ローラから離れる前記処理方向におけるポイントである、請求項１に記載の装置。
【請求項１０】
前記第１の時間が前記所定の時間より前の場合は、前記制御システムは前記第１の定着ローラおよび前記第２の定着ローラが前記複数のシートを移動させる速度を下げるように設定され、
前記第１の時間が前記所定の時間より後の場合は、前記制御システムは前記第１の定着ローラおよび前記第２の定着ローラが前記複数のシートを移動させる速度を上げるように設定される、請求項１に記載の装置。
【請求項１１】
制御システムと、
感光部と、をさらに含み、
前記制御システムが、前記感光部を操作して、
前記第１のシートを前記処理方向に移動させ、
前記処理方向における前記第１のシートの前記後端と前記第２のシートの前記先端との間に第１の距離をつくり、あるいは維持し、
前記第１の定着ローラおよび前記第２の定着ローラを操作して、
前記第１のシートの先端を前記第１の定着ローラおよび前記第２の定着ローラと係合させ、
前記第１の定着ローラおよび前記第２の定着ローラが前記第１のシートを前記処理方向に移動させる速度を下げ、
前記第１のシートと前記第２のシートとの間の前記第１の距離を、前記第１の距離より短い、前記第１のシートと前記第２のシートとの間の第２の距離に縮めるよう設定される、請求項１に記載の装置。
【請求項１２】
少なくとも１つのコンピュータをさらに含み、
前記少なくとも１つのコンピュータが、
コンピュータ可読命令を格納するよう設定される少なくとも１つのメモリ要素と、
少なくとも１つのプロセッサであって、
前記第１の定着ローラおよび前記第２の定着ローラを用いて、印刷材料の前記複数のシートを前記処理方向に移動させ、
前記複数のシートからの前記第１のシートの前記後端を前記第１の定着ローラおよび前記第２の定着ローラから離し、それとほぼ同時に、
前記複数のシートからの前記第２のシートの前記先端を前記第１の定着ローラおよび前記第２の定着ローラと係合させる前記コンピュータ可読命令を実行するよう設定されるプロセッサを含む、請求項１に記載の装置。
【請求項１３】
材料の複数のシートを処理方向に一定速度で移動させるよう構成される感光部と、
印刷に使用可能であって、第１の定着ローラと第２の定着ローラとを含む定着部であって、
前記第１の定着ローラおよび前記第２の定着ローラは、
印刷材料の複数のシートを前記処理方向に移動させ、
前記第１の定着ローラおよび前記第２の定着ローラが前記複数のシートを前記処理方向に移動させる速度を変更し、
前記複数のシートのうちの第１のシートの後端を前記第１の定着ローラおよび前記第２の定着ローラから離し、それとほぼ同時に、
前記複数のシートからの第２のシートの先端を前記第１の定着ローラおよび前記第２の定着ローラと係合するように構成される、定着部と、
制御システムであって、
前記第１の定着ローラおよび前記第２の定着ローラ付近の位置の前記第１のシートの前記後端を第１の時間で検知し、
前記第１の時間と所定の時間とを比較し、
前記第１の時間と前記所定の時間との間のばらつきに対して、前記第１の定着ローラおよび前記第２の定着ローラが前記複数のシートを移動させる速度を修正する、制御システムと、
を含む印刷装置。
【請求項１４】
感光部と、
印刷に使用可能であって、第１の定着ローラと第２の定着ローラとを有する定着部と、  を含む印刷装置であって、
前記感光部は、
印刷材料の第１のシートおよび第２のシートを処理方向に前記第１の定着ローラおよび前記第２の定着ローラに向けて移動し、
前記処理方向における前記第１のシートの後端と前記第２のシートの先端との間に第１の距離をつくり、あるいは維持し、
前記第１の定着ローラおよび前記第２の定着ローラは、
前記第１の定着ローラおよび前記第２の定着ローラが前記第１のシートを前記処理方向に移動させる速度を下げ、
前記第１のシートと前記第２のシートとの間の前記第１の距離を前記第１のシートと前記第２のシートとの間の第２の距離に縮め、
前記第１のシートの後端を前記第１の定着ローラおよび前記第２の定着ローラから離し、それとほぼ同時に、
前記印刷材料の第２のシートの先端を前記第１の定着ローラおよび前記第２の定着ローラと係合するように構成され、
前記感光部は、印刷材料の前記第１のシートおよび前記第２のシートを前記処理方向に移動させるように構成される転写装置を含み、
前記第１の定着ローラおよび前記第２の定着ローラは、
前記第１のシートが前記転写装置と係合している間、前記第１のシートを前記一定速度で移動させ、
前記第１のシートが前記転写装置から離れた後、前記第１のシートを前記一定速度より遅い第１の速度で移動させるように構成される、印刷装置。
【請求項１５】
印刷動作に対して使用可能であって、第１の定着ローラと第２の定着ローラとを含む定着部と、
前記第１の定着ローラおよび前記第２の定着ローラを回転させて材料の複数のシートを処理方向に移動させるよう構成されるモータと、
制御システムであって、
前記モータが生成するトルクを計測し、前記計測されたトルクの値が閾値より小さいとき、
材料の前記複数のシートに含まれる、材料のシートが所望の時間より前に前記第１の定着ローラおよび前記第２の定着ローラから離れたと判断し、
前記第１の定着ローラおよび前記第２の定着ローラが印刷材料の前記複数のシートを前記処理方向に移動させる速度を下げ、
前記モータが生成するトルクを計測し、前記計測されたトルクの値が閾値より大きいとき、
材料の前記複数のシートに含まれる、材料のシートが前記第１の定着ローラおよび前記第２の定着ローラとまだ係合していると判断し、
前記第１の定着ローラおよび前記第２の定着ローラが印刷材料の前記複数のシートを前記処理方向に移動させる速度を上げる、制御システムと、
を含む、印刷装置。
【請求項１６】
印刷に使用可能であって、第１の定着ローラと第２の定着ローラとを有する定着装置を含む印刷装置を操作する方法であって、
前記第１の定着ローラおよび前記第２の定着ローラを用いて、印刷材料の複数のシートを処理方向に移動させることと、
モータを用いて、前記第１の定着ローラおよび前記第２の定着ローラを回転させることであって、それによって、
前記複数のシートのうちの第１のシートおよび第２のシートを前記処理方向に移動させ、
前記第１の定着ローラおよび前記第２の定着ローラから前記複数のシートからの前記第１のシートの後端を離し、それとほぼ同時に、
前記複数のシートからの前記第２のシートの先端を前記第１の定着ローラおよび前記第２の定着ローラと係合させることと、
前記第１の定着ローラおよび前記第２の定着ローラ付近の位置の前記第１のシートの前記後端を第１の時間で検知することと、
前記第１の時間と所定の時間とを比較することと、
前記第１の時間と前記所定の時間との間のばらつきに対して、前記第１の定着ローラおよび前記第２の定着ローラが前記複数のシートを移動させる速度を修正することと、
を含む、方法。
【請求項１７】
前記印刷装置は感光部を含み、前記方法はさらに、
前記感光部を用いて、前記複数のシートを前記処理方向に一定速度で前記第１の定着ローラおよび前記第２の定着ローラに向けて移動させることと、
前記第１の定着ローラおよび前記第２の定着ローラが前記複数のシートを前記処理方向に移動させる速度を変更することと、
をさらに含む、請求項１６に記載の方法。
【請求項１８】
感光部に含まれる転写装置を用いて、前記複数のシートを前記処理方向に一定速度で前記第１の定着ローラおよび前記第２の定着ローラに向けて移動させることと、
前記第１のシートを前記転写装置と前記第１の定着ローラおよび前記第２の定着ローラとほぼ同時に係合させることと、
をさらに含む、請求項１６に記載の方法。
【請求項１９】
感光部に含まれる転写装置を用いて、前記複数のシートを前記処理方向に一定速度で前記第１の定着ローラおよび前記第２の定着ローラに向けて移動させることと、
前記第１のシートが前記転写装置と係合している間、前記第１の定着ローラおよび前記第２の定着ローラを用いて、前記第１のシートを前記一定速度で移動させることと、
前記第１のシートが前記転写装置から離れた後、前記第１のシートを前記一定速度より遅い第１の速度で移動させることと、をさらに含む請求項１６に記載の方法。
【請求項２０】
モータを用いて、前記第１のシートおよび前記第２のシートを前記処理方向に移動させるように前記第１の定着ローラおよび前記第２の定着ローラを回転させることと、
前記モータが生成するトルクを計測することと、
前記計測されたトルクの値によって、前記第１の定着ローラおよび前記第２の定着ローラが印刷材料の前記複数のシートの少なくとも一部を前記処理方向に移動させる速度を制御することと、
をさらに含む、請求項１６に記載の方法。
【請求項２１】
感光部を用いて、前記複数のシートを前記処理方向に一定速度で前記第１の定着ローラおよび前記第２の定着ローラに向けて移動させることと、
前記感光部を用いて、前記第２のシートを所定の時間に前記第１の定着ローラおよび前記第２の定着ローラに搬送することと、
前記所定の時間に前記トルクを計測することと、
前記計測されたトルクの前記値が閾値より大きい場合、前記第１の定着ローラおよび前記第２の定着ローラが前記複数のシートの前記少なくとも一部を移動させる速度を下げることと、
をさらに含む、請求項２０に記載の方法。
【請求項２２】
感光部を用いて、前記複数のシートを前記処理方向に一定速度で前記第１の定着ローラおよび前記第２の定着ローラに向けて移動させることと、
前記感光部を用いて、前記第２のシートを所定の時間に前記第１の定着ローラおよび前記第２の定着ローラに搬送することと、
前記所定の時間の前と前記所定の時間の後に前記トルクを計測することと、
前記所定の時間に計測されたトルクの前記値が第１の閾値より大きいと判断することと、
前記所定の時間の後に計測されたトルクの前記値が第２の閾値より小さいと判断することと、
前記第１の定着ローラおよび前記第２の定着ローラが前記複数のシートの前記少なくとも一部を移動させる速度を上げることと、
をさらに含む、請求項２０に記載の方法。
【請求項２３】
前記第１の時間が前記所定の時間より前の場合、前記第１の定着ローラおよび前記第２の定着ローラが前記複数のシートを移動させる速度を下げること、または、
前記第１の時間が前記所定の時間より後の場合、前記第１の定着ローラおよび前記第２の定着ローラが前記複数のシートを移動させる速度を上げること、
をさらに含む、請求項１６に記載の方法。
【請求項２４】
感光部を用いて、前記第１のシートを前記処理方向に移動させることと、
前記処理方向における前記第１のシートの前記後端と前記第２のシートの前記先端との間に第１の距離をつくることと、あるいは維持することと、
前記第１のシートの先端を前記第１の定着ローラおよび前記第２の定着ローラと係合させることと、
前記第１の定着ローラおよび前記第２の定着ローラが前記第１のシートを前記処理方向に移動させる速度を下げることと、
前記第１のシートと前記第２のシートとの間の前記第１の距離を前記第１のシートと前記第２のシートとの間の第２の距離に縮めることと、
をさらに含む、請求項１６に記載の方法。
【請求項２５】
少なくとも１つのコンピュータの少なくとも１つのメモリ要素にコンピュータ可読命令を格納することと、
前記少なくとも１つのコンピュータ用の少なくとも１つのプロセッサを使用して、前記コンピュータ可読命令を実行することであって、それによって、
前記第１の定着ローラおよび前記第２の定着ローラを用いて、印刷材料の前記複数のシートを前記処理方向に移動させ、
前記第１の定着ローラおよび前記第２の定着ローラから前記複数のシートからの前記第１のシートの前記後端を離し、それとほぼ同時に、
前記複数のシートからの前記第２のシートの前記先端を前記第１の定着ローラおよび前記第２の定着ローラと係合させる、前記コンピュータ可読命令を実行することと、
をさらに含む、請求項１６に記載の方法。
【請求項２６】
感光部と、印刷に使用可能であって、第１の定着ローラと第２の定着ローラとを有する定着部と、を含む印刷装置を操作する方法であって、
前記感光部を用いて、印刷材料の複数のシートを処理方向に移動させることと、
前記第１の定着ローラおよび前記第２の定着ローラが前記複数のシートを前記処理方向に移動させる速度を変更することと、
前記第１の定着ローラおよび前記第２の定着ローラから前記複数のシートのうちの第１のシートの後端を離し、それとほぼ同時に、
前記複数のシートからの第２のシートの先端を前記第１の定着ローラおよび前記第２の定着ローラと係合させることと、
前記第１の定着ローラおよび前記第２の定着ローラ付近の位置の前記第１のシートの前記後端を制御システムを使用して第１の時間で検知することと、
前記制御システムを使用して、前記第１の時間と所定の時間を比較することと、
前記第１の時間と前記所定の時間との間のばらつきに対して、前記制御システムを使用して、前記第１の定着ローラおよび前記第２の定着ローラが前記複数のシートを移動させる速度を修正することと、
を含む方法。
【請求項２７】
前記感光部を用いて、材料の前記複数のシートを前記処理方向に一定速度で前記第１の定着ローラおよび前記第２の定着ローラに向けて移動させることをさらに含む、請求項２６に記載の方法。
【請求項２８】
感光部と、印刷に使用可能であって、第１の定着ローラと第２の定着ローラとを有する定着部と、を含む印刷装置を操作する方法であって、
前記感光部を用いて、印刷材料の第１のシートおよび第２のシートを処理方向に前記第１の定着ローラおよび前記第２の定着ローラに向けて移動させることと、
前記処理方向における前記第１のシートの後端と前記第２のシートの先端との間に第１の距離をつくることと、あるいは維持することと、
前記第１の定着ローラおよび前記第２の定着ローラが前記第１のシートを前記処理方向に移動させる速度を下げることと、
前記第１のシートと前記第２のシートとの間の前記第１の距離を前記第１のシートと前記第２のシートとの間の第２の距離に縮めることと、
前記第１の定着ローラおよび前記第２の定着ローラから前記第１のシートの後端を離し、それとほぼ同時に、
前記印刷材料の前記第２のシートの先端を前記第１の定着ローラおよび前記第２の定着ローラと係合させることと、
前記感光部に含まれる転写装置を使用して、印刷材料の前記第１のシートおよび前記第２のシートを前記処理方向に移動させることと、
前記第１の定着ローラおよび前記第２の定着ローラを用いて、
前記第１のシートが前記転送装置と係合している間、前記第１のシートを前記一定速度で移動させることと、
前記第１のシートが前記転写装置から離れた後、前記第１のシートを前記一定速度より遅い第１の速度で移動させることと、
を含む、方法。
【請求項２９】
前記感光部が転写装置を含み、
前記第１の定着ローラおよび前記第２の定着ローラが、
前記第１のシートが前記転写装置と係合している間、前記第１のシートを前記一定速度で移動させ、
前記第１のシートが前記転写装置から離れた後、前記第１のシートを前記一定速度より遅い第１の速度で移動させ、
前記第２のシートが前記第１の定着ローラおよび前記第２の定着ローラと係合している間、前記第１のシートおよび前記第２のシートを前記一定速度で移動させる、請求項２８に記載の方法。
【請求項３０】
印刷に使用可能であって、第１の定着ローラと第２の定着ローラとを有する定着部と、前記第１の定着ローラおよび前記第２の定着ローラを回転させるモータと、を含む印刷装置を操作する方法であって、
前記第１の定着ローラおよび前記第２の定着ローラを回転させることと、
前記第１の定着ローラおよび前記第２の定着ローラを用いて、材料の複数のシートからの材料の第１のシートおよび第２のシートを処理方向に移動させることと、
前記モータが生成するトルクを計測することと、を含み、
前記計測されたトルクの値が閾値より小さいとき、
材料の前記複数のシートに含まれる、材料のシートが所望の時間より前に前記第１の定着ローラおよび前記第２の定着ローラから離れたと判断し、
前記第１の定着ローラおよび前記第２の定着ローラが印刷材料の前記複数のシートを前記処理方向に移動させる速度を下げ、
前記計測されたトルクの値が閾値より大きいとき、
前記材料の前記複数のシートに含まれる、材料のシートが前記第１の定着ローラおよび前記第２の定着ローラとまだ係合していると判断し、
前記第１の定着ローラおよび前記第２の定着ローラが印刷材料の前記複数のシートを前記処理方向に移動させる速度を上げる、方法。